(57)【要約】【課題】ＡＸＩ仕様を用いたデータを転送する処理において、発行転送数を拡大することができるＡＸＩ転送発生装置を提供することを目的とする。【解決手段】ＡＸＩ仕様を用いてデータを転送する処理を実行するＡＸＩ転送発生装置１００であって、転送制御情報を動的に生成して格納する動的生成手段１０１と、動的生成手段１０１が動的に生成して格納した転送制御情報に基づいて、データを転送する処理を実行する転送制御手段１０２とを備えたことを特徴とする。【選択図】図１１
2011145981.tif 000002
【特許請求の範囲】
【請求項１】
AXI仕様を用いてデータ転送処理を実行するAXI転送発生装置であって、
転送制御情報を動的に生成して格納する動的生成手段と、
前記動的生成手段が動的に生成して格納した転送制御情報に基づいて、転送処理を実行する転送制御手段とを
備えたことを特徴とするAXI転送発生装置。
【請求項２】
転送処理に対してエラーを示す応答情報を受信した際に、受信した前記応答情報に対して異常であるか正常であるかの判定を行う判定手段を備えた
請求項１記載のAXI転送発生装置。
【請求項３】
動的生成手段が動的に生成した転送制御情報を格納する格納手段と、
前記転送制御情報に対する転送処理が完了したと判断すると、前記格納手段から前記転送制御情報を動的に削除する応答制御手段とを備えた
請求項１又は請求項２記載のAXI転送発生装置。
【請求項４】
応答制御手段は、受信した応答情報に対応する転送制御情報を格納手段が格納している場合に、前記転送制御情報に対する転送処理が完了したと判断する
請求項３記載のAXI転送発生装置。
【請求項５】
動的生成手段は、予め登録又は生成された転送タスクに基づいて、転送制御情報を動的に生成して格納する
請求項１から請求項４のうちのいずれか１項に記載のAXI転送発生装置。
【請求項６】
判定手段は、登録された異常・正常判定情報に基づいて、受信した応答情報に対して異常であるか正常であるかの判定を行う
請求項２記載のAXI転送発生装置。
【請求項７】
AXI仕様を用いてデータ転送処理を実行するAXI転送発生方法であって、
転送制御情報を動的に生成して格納し、
動的に生成して格納した転送制御情報に基づいて、転送処理を実行する
ことを特徴とするAXI転送発生方法。
【請求項８】
転送処理に対する応答情報を受信した際に、受信した前記応答情報に対して異常であるか正常であるかの判定を行う
請求項７記載のAXI転送発生方法。
【請求項９】
AXI仕様を用いてデータ転送処理を実行するコンピュータに、
転送制御情報を動的に生成して格納する動的生成処理と、
動的に生成して格納した転送制御情報に基づいて、転送処理を実行する転送制御処理とを
実行させるためのAXI転送発生プログラム。
【請求項１０】
コンピュータに、
転送処理に対する応答情報を受信した際に、受信した前記応答情報に対して異常であるか正常であるかの判定を行う応答判定処理を実行させる
請求項９記載のAXI転送発生プログラム。
【発明の詳細な説明】
【技術分野】
【０００１】
本発明は、AXI仕様に対応するAXI転送発生装置、AXI転送発生方法及びAXI転送発生プログラムに関する。
【背景技術】
【０００２】
近年のデジタル技術の発展に伴い、ARM社のCPUを用いた装置が多数実用化されている。例えば、特許文献１の図２に記載されている装置は、ARM社がサポートするAMBA(Advanced Microcontroller Bus Architecture) AXI（Advanced eXtensible Interface）仕様を用いている。
【０００３】
これらの装置は、AXI仕様に対応した複数のIP（Intellectual Property）を搭載し、各IPを接続してデータの転送を行う。そのため、これらの装置の検証作業において、効率的に確実な検証を行うためには、制約の少ないAXI転送発生装置が必要である。
【先行技術文献】
【特許文献】
【０００４】
【特許文献１】特開２００７−１１０７０６号公報
【発明の概要】
【発明が解決しようとする課題】
【０００５】
しかし、一般的な転送発生装置にはいくつかの問題がある。その問題点の１つは、発行転送数に制限が存在するため、同時に実行できる転送数が制限されるということである。この問題が発生する原因は、転送情報を管理するための管理領域を予め確保しておく必要があることに起因する。
【０００６】
そこで、本発明は、AXI仕様を用いた転送処理において、発行転送数を拡大することができるAXI転送発生装置、AXI転送発生方法及びAXI転送発生プログラムを提供することを目的とする。
【課題を解決するための手段】
【０００７】
本発明によるAXI転送発生装置は、AXI仕様を用いてデータ転送処理を実行するAXI転送発生装置であって、転送制御情報を動的に生成して格納する動的生成手段と、動的生成手段が動的に生成して格納した転送制御情報に基づいて、転送処理を実行する転送制御手段とを備えたことを特徴とする。
【０００８】
本発明によるAXI転送発生方法は、AXI仕様を用いてデータ転送処理を実行するAXI転送発生方法であって、転送制御情報を動的に生成して格納し、動的に生成して格納した転送制御情報に基づいて、転送処理を実行することを特徴とする。
【０００９】
本発明によるAXI転送発生プログラムは、AXI仕様を用いてデータ転送処理を実行するコンピュータに、転送制御情報を動的に生成して格納する動的生成処理と、動的に生成して格納した転送制御情報に基づいて、転送処理を実行する転送制御処理とを実行させることを特徴とする。
【発明の効果】
【００１０】
本発明によれば、AXI仕様を用いた転送処理において、発行転送数を拡大することができる。
【図面の簡単な説明】
【００１１】
【図１】本発明の第1の実施形態によるAXI転送発生装置を用いたIP検証環境を実現するシステムを示すブロック図である。
【図２】転送発生部11の一例を示す説明図である。
【図３】応答制御部12の一例を示す説明図である。
【図４】転送情報発生部2及び検証シナリオ部4の一例を示す説明図である。
【図５】一般的な転送制御情報格納部が格納する転送制御情報の一例を示す説明図である。
【図６】本実施形態における転送制御情報格納部3が格納する転送制御情報の一例を示す説明図である。
【図７】クロック信号に同期して動作する転送制御部1の入力信号及び出力信号の波形変化と、転送制御部1、転送情報発生部2及び転送制御情報格納部3における動作例とを示す説明図である。
【図８】AXI転送発生装置の動作例を示すフローチャートである。
【図９】第2の実施形態によるAXI転送発生装置を用いたIP検証環境を実現するシステムを示すブロック図である。
【図１０】乱数生成部5の具体的な動作例を示すフローチャートである。
【図１１】AXI転送発生装置の最小の構成例を示すブロック図である。
【発明を実施するための形態】
【００１２】
次に、本発明の実施形態について図面を参照して説明する。図１は、本発明の第1の実施形態によるAXI転送発生装置を用いたIP検証環境を実現するシステムを示すブロック図である。図１に示すように、IP検証環境を実現するシステムは、AXI転送発生装置100、検証シナリオ部4及びIP6を含む。また、AXI転送発生装置100は、転送制御部1、転送情報発生部2及び転送制御情報格納部3を含む。さらに、転送制御部1は、転送発生部11及び応答制御部12を含む。IP検証環境を実現するシステムは、具体的には、シミュレータ装置によって実現される。なお、本実施形態では、IP検証環境を実現するシステムに1つのIPが含まれる例を用いて説明するが、1つに限らず、例えば2以上のIPを含むようにしてもよい。
【００１３】
図１に示すように転送制御部1、制御情報発生部2及び転送制御情報格納部3は、各々バス線を介して相互に接続されている。また、AXI転送発生装置100とIP6とは、AXIインタフェース（以下AXI I/F）を用いて相互に通信可能である。また、制御情報発生部2は、検証シナリオ部4により制御される。
【００１４】
次に、図２及び図３を用いて、転送制御部1に含まれる転送発生部11及び応答制御部12について説明する。図２は、転送発生部11の一例を示す説明図である。図３は、応答制御部12の一例を示す説明図である。なお、転送制御部1は、具体的には、マイクロプロセッサによって実現される。
【００１５】
転送発生部11は、転送制御情報格納部3が格納する転送制御情報を検索し、まだ転送を開始していない転送制御情報が存在した場合に、該当する転送制御情報に基づいてAXI I/Fを用いて転送処理を開始する機能を備えている（図２）。
【００１６】
応答制御部12は、IP6からAXI I/Fを用いて応答情報を受信した際に、受信した応答情報の示す転送処理が、転送制御情報格納部3が格納する転送制御情報の示す転送処理と一致するか否かを判定する機能を備えている。例えば、応答制御部12は、応答情報に含まれる転送処理識別情報と、転送制御情報に含まれる転送処理識別情報とが一致する場合に、転送処理が一致すると判定する。また、応答制御部12は、一致すると判定した場合に転送処理が完了したと判断し、該当する転送制御情報を転送制御情報格納部3から動的に削除する機能を備えている。
【００１７】
また、この時、応答制御部12は、転送情報発生部2からの指示に基づいて、エラーを示す応答情報（以下、エラー応答）を受信した際に、異常として扱うか正常として扱うかの判断を行う機能を備えている（図３）。例えば、予め検証作業者が次に発生するエラー応答が正常系（予期したエラー応答）である旨の情報を転送制御情報部３に登録しておくと、応答制御部12は、登録された情報に基づいて、受信したエラー応答が異常であるか正常であるかの判定を行う。そして、応答制御部12は、判定結果をNotification/Warning/Errorのいずれかを示す情報として表示装置等に出力する。
【００１８】
次に、図４を用いて、転送情報発生部2及び検証シナリオ部4について説明する。図４は、転送情報発生部2及び検証シナリオ部4の一例を示す説明図である。
【００１９】
転送情報発生部2は、具体的には、マイクロプロセッサによって実現される。転送情報発生部2は、検証シナリオ部4が出力するタスクに基づいて動作する。なお、本実施形態で検証シナリオ部4が出力するタスクとは、処理の実行単位を示し、処理に関連する所定の情報を含む。例えば、データの転送処理を実行するタスク（以下、転送タスク）は、転送制御情報として、アドレス情報や転送情報、転送サイズ、転送開始タイミング情報等を含む。また、例えば、エラー応答に対する正常・異常判定処理を実行するタスク（以下、応答タスク）は、異常・正常判定の情報（エラー応答の許可情報）を含む。
【００２０】
転送情報発生部2は、検証シナリオ部4が転送タスクを出力した場合には、出力された転送タスクに含まれる転送制御情報を構造体に動的生成し、転送制御情報格納部3に格納させる機能を備えている。また、転送情報発生部2は、検証シナリオ部4が応答タスクを出力した場合には、出力された応答タスクに含まれる異常・正常判定の情報を転送制御部1に通知する機能を備えている。
【００２１】
検証シナリオ部4は、具体的には、マイクロプロセッサ及び記憶装置によって実現される。検証シナリオ部4は、タスクを記憶し、記憶しているタスクを制御情報発生部2に出力する機能を備えている。なお、これらのタスクは、例えば、予め検証作業者によって登録される。
【００２２】
次に、図５及び図６を用いて、転送制御情報格納部3について説明する。図５は、一般的な転送制御情報格納部が格納する転送制御情報の一例を示す説明図である。図５に示す一般的な転送制御情報格納部は、転送制御情報を個定数（本例では2個）保存できるバッファを有する。そして、一般的な転送制御情報格納部は、そのバッファが空いている場合に限り、生成された新しい転送制御情報を格納することが可能である。
【００２３】
これに対して図６は、本実施形態における転送制御情報格納部3が格納する転送制御情報の一例を示す説明図である。本実施形態における転送制御情報格納部3は、具体的には、メモリ等の記憶装置によって実現される。SystemVerilogにて提供された動的配列構造を利用して、転送情報発生部2が生成した転送制御情報を、メモリ等の容量を限度として無制限に格納することが可能である。
【００２４】
シミュレータ装置（例えば、制御情報発生部2）は、転送制御情報格納部3の転送制御情報を格納する領域を管理し、必要に応じてメモリを割り当てる処理を実行する。
【００２５】
転送制御情報格納部3が格納する転送制御情報は、転送制御部1内の転送発生部11や応答制御部12により検索される。このとき、例えば、シミュレータ装置は、合致する転送制御情報が存在する場合には、該当する転送制御情報を転送制御部1に通知する。
【００２６】
また、シミュレータ装置（例えば、応答制御部12）は、転送制御部1内の応答制御部12により転送処理が完了したことが確認した際には、該当する転送制御情報を動的に削除するように制御する。さらに、シミュレータ装置（例えば、応答制御部12）は、削除により転送制御情報を格納していたメモリ領域を開放するように制御する。
【００２７】
次に、図７のタイミングチャートと図８のフローチャートとを用いて、AXI転送発生装置の動作について説明する。
【００２８】
図７は、クロック信号に同期して動作する転送制御部1の入力信号及び出力信号の波形変化と、転送制御部1、転送情報発生部2及び転送制御情報格納部3における動作例とを示す。
【００２９】
図７に示すように、転送タスクが実行されると、転送情報発生部2は、転送制御情報を生成し、生成した転送制御情報を転送制御情報格納部3に格納させる。
【００３０】
具体的には、所定の検証を行うために、検証作業者が転送タスクを検証シナリオ部4に登録すると、検証シナリオ部4は、登録された転送タスクを転送情報発生部２に出力する。そして、転送情報発生部２は、出力された転送タスクに含まれる転送制御情報を構造体に動的生成し、転送制御情報格納部3に格納させる。
【００３１】
このように、本実施形態では、転送制御情報格納部3は、動的配列構造を利用して、制御情報発生部2が構造体に動的生成した転送制御情報を格納する。したがって、本実施形態では、転送を管理するための管理領域を予め確保しておく必要がなく、発行転送数を無制限とすることができる。
【００３２】
次いで、転送制御部1は、転送制御情報格納部3に格納された転送制御情報を認識して、AXI転送を発生させる。
【００３３】
具体的には、転送発生部11は、転送制御情報格納部3が格納する転送制御情報を検索し、まだ転送を開始していない転送制御情報が存在した場合に、該当する転送制御情報に基づいて、AXI I/Fを用いて転送処理を開始する。
【００３４】
次いで、AXI応答が発生すると、転送制御部1は、転送制御情報格納部3が格納する転送制御情報を削除してAXI転送を完了させる。
【００３５】
具体的には、応答制御部12は、IP6からAXI I/Fを用いて応答情報を受信した際に、受信した応答情報の示す転送処理が、転送制御情報格納部3が格納する転送制御情報の示す転送処理と一致するか否かを判定する。そして、一致すると判定した場合、応答制御部12は、転送処理が完了したと判断し、該当する転送制御情報を転送制御情報格納部3から動的に削除する。
【００３６】
また、図７に示すように、応答タスクが実行された場合には、転送情報発生部2は、異常・正常判定情報を転送制御部1に出力する。そして、転送制御部1は、AXI応答が発生した際に、異常・正常判定処理を実行する。
【００３７】
具体的には、エラー発生時の動作を検証するために、検証作業者が異常・正常判定情報を含む応答タスクを検証シナリオ部4に登録すると、検証シナリオ部4は、登録された応答タスクを転送情報発生部２に出力する。すると、転送情報発生部２は、出力された応答タスクに含まれる異常・正常判定情報を応答制御部12に出力する。例えば、検証作業者は、異常・正常判定情報として、次に発生するエラー応答が正常系（予期したエラー応答）である旨の情報を検証シナリオ部4に登録する。
【００３８】
そして、この応答タスク実行時において、IP6からAXI I/Fを用いてエラー応答を受信すると、応答制御部12は、出力された異常・正常判定情報に基づいて、エラー応答が異常であるか正常であるかの判断を行う。その後、応答制御部12は、例えば、判定結果をNotification/Warning/Errorのいずれかを示す情報として表示装置等に出力する。このようにすることで、検証作業者は、表示装置等に出力された情報を確認して、予め意図したエラー応答であるか、意図していないエラー応答であるかを判別することができる。
【００３９】
このように、本実施形態では、エラー応答を常にエラーと処理するのではなく、エラー応答に対する反応を、異常な応答とするか、正常な応答とするかをシナリオ側から明示的に指示することができる。
【００４０】
図８のフローチャートは、図７のタイミングチャートで説明した本実施形態におけるAXI転送発生装置の動作を、処理フローに分解して説明するものである。
【００４１】
図８に示すフローチャートにおいて、ステップAでは、転送情報発生部２は、転送制御情報格納部3に転送制御情報を格納する。
【００４２】
具体的には、所定の検証を行うために、検証作業者が転送タスクを検証シナリオ部4に登録すると、検証シナリオ部4は、登録された転送タスクを制御情報発生部2に出力する（ステップS11）。次いで、制御情報発生部2は、出力された転送タスクに含まれる転送制御情報を構造体に動的生成する（ステップS12）。次いで、制御情報発生部2は、構造体に動的生成した転送制御情報を転送制御情報格納部3に格納させる（ステップS13）。
【００４３】
また、ステップBでは、転送処理部１は、転送制御情報格納部3が格納する転送制御情報の確認を行い、未実施の転送制御情報が存在する場合にはAXIバスに対して転送処理を開始する。
【００４４】
具体的には、転送発生部11は、転送制御情報格納部3が格納する転送制御情報を検索し、まだ転送を開始していない転送制御情報が存在するか否かを判定する（ステップS21）。そして、存在すると判定した場合、転送発生部11は、該当する転送制御情報に基づいて、AXI I/Fを用いて転送処理を開始する（ステップS22）。
【００４５】
また、ステップCでは、転送制御部1は、AXIバスの応答を検出し、転送情報発生部2による正常・異常判定処理と転送情報の削除処理とを行う。
【００４６】
具体的には、応答制御部12は、IP6からAXI I/Fを用いて応答情報を受信したか否かを判定する（ステップS31）。そして、応答情報を受信したと判定すると、応答制御部12は、転送情報発生部２から出力された異常・正常判定情報に基づいて、応答情報を異常として扱うか正常として扱うかの判定を行う（ステップS32）。そして、応答制御部12は、例えば、判定結果をNotification/Warning/Errorのいずれかを示す情報として表示装置等に出力する。
【００４７】
なお、転送情報発生部２は、検証シナリオ部4が出力した予め検証作業者によって登録された応答タスクに含まれる異常・正常判定情報を、応答制御部12に出力しているものとする。また、図８に示す例では、応答制御部12は、全ての応答情報に対して異常・正常判定処理を実行しているが、例えば、エラー応答に対してのみ異常・正常判定処理を実行するようにしてもよい。
【００４８】
次いで、応答制御部12は、受信した応答情報が示す転送処理が、転送制御情報格納部3が格納する転送制御情報の示す転送処理と一致するか否かを判定する。そして、応答制御部12は、一致すると判定した場合には転送処理が完了したと判断し、該当する転送制御情報を転送制御情報格納部3から動的に削除する（ステップS33）。
【００４９】
以上のことから、本実施形態では、以下に示すような効果を奏する。
【００５０】
第1の効果は、発行転送数の制限をメモリ等の容量の範囲で無制限にできることにある。その理由は、メモリ等の容量の範囲では、転送制御情報格納部3に登録可能な転送制御情報数に上限が無いためである。
【００５１】
第2の効果は、一般的な転送発生装置では、エラー発生時の動作を検証することまで考慮されていないため、エラー応答の発生を、常にエラーとして処理することしか出来ないが、本実施形態では、エラー応答に対する対応を、異常な応答なのか正常な応答なのかをシナリオ側から明示的に指示できることにある。その理由は、AXIバスからの応答を異常・正常判定処理するメカニズムをもつためである。
【００５２】
実施形態２．
次に、本発明によるAXI転送発生装置の第2の実施形態について図面を参照して説明する。図９は、本発明の第2の実施形態によるAXI転送発生装置を用いたIP検証環境を実現するシステムを示すブロック図である。IP検証環境を実現するシステムは、第1の実施形態においては検証シナリオ部4を用いて制御情報発生部2を制御していたが、本実施形態では検証シナリオ部4の代わりに乱数生成部5を含む。乱数生成部5は、具体的には、マイクロプロセッサによって実現される。
【００５３】
次に、図１０を用いて、乱数生成部5について説明する。図１０は、乱数生成部5の具体的な動作例を示すフローチャートである。
【００５４】
乱数生成部5は、乱数を用いて転送タスクをランダムに生成する機能を備えている。一般的な転送発生装置でランダムに転送タスクを生成した場合、転送制御情報の保持数制限が存在する為、一度に保持できる転送制御情報数の制限がネックとなり同時に実行可能な転送処理の数が制限されることとなる。
【００５５】
しかし、本発明によるAXI転送発生装置の場合、メモリ等の容量の範囲では、格納可能な転送制御情報数の制限が無いため、連続で転送処理を実行する際の上限が無くなる。そのため、ランダムに生成された転送タスクを発生した時刻に実行することができ、同時に実行可能な転送数の制限が発生しない。したがって、本実施形態では、第1の実施形態の効果に加え、転送タスクをランダムに生成して検証することができる。
【００５６】
図１０に示すように、転送処理を追加する場合（ステップS41）、乱数生成部5は、乱数を用いて転送タスクをランダムに生成する（ステップS43）。その後、AXI転送発生装置は、第1の実施形態のステップS11以降と同様に転送タスクを実行する（ステップS44）。
【００５７】
このように、一般的な転送発生装置では、ステップS41の後に、転送制御情報が追加可能か否かを判断する処理（ステップS42）が必要であったが、本実施形態におけるAXI転送発生装置100に対しては、その処理を省略することができる。
【００５８】
以上のように、本発明によるAXI転送発生装置は、動的な転送生成手段を備え、生成された転送の設定通りに転送を発生させる構成を有する。また、本発明によるAXI転送発生装置は、エラー発生時における動作をそれぞれの転送毎に取り決めることが可能となる構成を有する。
【００５９】
したがって、本発明によれば、動的に転送を生成することで発行転送数を無制限とすることができ、同時にエラー発生時の動作を転送毎に設定することができる。
【００６０】
次に、本発明によるAXI転送発生装置の最小構成について説明する。図１１は、AXI転送発生装置の最小の構成例を示すブロック図である。図１１に示すように、AXI転送発生装置100は、最小の構成要素として、動的生成手段101と、転送制御手段102とを含む。
【００６１】
図１１に示す最小構成のAXI転送発生装置では、動的生成手段101は、転送制御情報を動的に生成して格納する。そして、転送制御手段102は、動的生成手段101が動的に生成して格納した転送制御情報に基づいて、転送処理を実行する。
【００６２】
従って、最小構成のAXI転送発生装置によれば、AXI仕様を用いた転送処理において、発行転送数を拡大することができる。
【００６３】
なお、本実施形態では、以下の（１）〜（６）に示すようなAXI転送発生装置の特徴的構成が示されている。
【００６４】
（１）AXI転送発生装置は、AXI仕様を用いてデータ転送処理を実行するAXI転送発生装置（例えば、AXI転送発生装置100によって実現される）であって、転送制御情報を動的に生成して格納する動的生成手段（例えば、制御情報発生部2によって実現される）と、動的生成手段が動的に生成して格納した転送制御情報に基づいて、転送処理を実行する転送制御手段（例えば、転送発生部11によって実現される）とを備えていることを特徴とする。
【００６５】
（２）AXI転送発生装置において、転送処理に対してエラーを示す応答情報を受信した際に、受信した応答情報に対して異常であるか正常であるかの判定を行う判定手段（例えば、応答制御部12によって実現される）を備えるように構成されていてもよい。
【００６６】
（３）AXI転送発生装置において、動的生成手段が動的に生成した転送制御情報を格納する格納手段（例えば、転送制御情報格納部3によって実現される）と、転送制御情報に対する転送処理が完了したと判断すると、格納手段から転送制御情報を動的に削除する応答制御手段（例えば、応答制御部12によって実現される）とを備えるように構成されていてもよい。
【００６７】
（４）AXI転送発生装置において、応答制御手段は、受信した応答情報に対応する転送制御情報を格納手段が格納している場合に、転送制御情報に対する転送処理が完了したと判断するように構成されていてもよい。
【００６８】
（５）AXI転送発生装置において、動的生成手段は、予め登録又は生成された転送タスク（例えば、検証シナリオ部4又は乱数生成部5によって実現される）に基づいて、転送制御情報を構造体に動的生成して格納するように構成されていてもよい。
【００６９】
（６）AXI転送発生装置において、判定手段は、登録された異常・正常判定情報（例えば、検証シナリオ部4によって実現される）に基づいて、受信した応答情報に対して異常であるか正常であるかの判定を行うように構成されていてもよい。
【産業上の利用可能性】
【００７０】
本発明は、AXIを使用している全ての半導体、主にSOCの検証に適用可能である。
【符号の説明】
【００７１】
１  転送制御部
２  制御情報発生部
３  転送制御情報格納部
４  検証シナリオ部
５  乱数生成部
６  IP
１１  転送発生部
１２  応答制御部
１００  AXI転送発生装置
１０１  動的生成手段
１０２  転送制御手段
【図１】
2011145981.tif 000003
【図２】
2011145981.tif 000004
【図３】
2011145981.tif 000005
【図４】
2011145981.tif 000006
【図５】
2011145981.tif 000007
【図６】
2011145981.tif 000008
【図７】
2011145981.tif 000009
【図８】
2011145981.tif 000010
【図９】
2011145981.tif 000011
【図１０】
2011145981.tif 000012
【図１１】
2011145981.tif 000013